(57)【要約】【課題】色彩または模様によって識別された複数種類のカードを、色彩または模様毎に集めて効率よく収容することができるとともに、構造が簡単で安価に製造できるようにしたカード収容ケースを提供する。【解決手段】色彩または模様によって識別された複数枚のカードＡa、Ａb、Ａc・・・Ａxを、色彩または模様毎に仕分けして収容するカード収容ケースにおいて、上面が開口する方形のケース本体３と、ケース本体３内の底面に載置され、互いに平行をなす複数の山折り部５の相互間に、底片６を形成する２列の谷折り案内線６ａが設けられ、山折り部５の少なくとも一方の側面に、そこに収容すべきカードの色彩または模様と同一または関連する色彩または模様を付した帯状の仕切片４とを備えるものとする。【選択図】  図１
2015058944.tif 000002
【特許請求の範囲】
【請求項１】
色彩または模様によって識別された複数枚のカードを、色彩または模様毎に仕分けして収容するカード収容ケースであって、
上面が開口する方形のケース本体と、前記ケース本体内の底面に載置され、互いに平行をなす複数の山折り部の相互間に、底片を形成する２列の谷折り部が設けられ、前記山折り部の少なくとも一方の側面に、そこに収容すべきカードの色彩または模様と同一または関連する色彩または模様を付した帯状の仕切片とを備えることを特徴とするカード収容ケース。
【請求項２】
主要部を同一形状とした複数の仕切片を、ケース本体内に長手方向に並べて収容し、互いに対向する仕切片の対向端部の少なくともいずれか一方に設けた接合片を、他方の端部または接合片に結合した請求項１記載のカード収容ケース。
【請求項３】
いずれかの山折り部の頂部に、互いに平行の２本の山折り案内線を設けることにより平坦部を形成し、この平坦部を表示面とした請求項１または２記載のカード収容ケース。
【請求項４】
ケース本体に、その内部にカードを収容した状態で前記ケース本体の上端開口部を閉塞しうる蓋体を、開閉自在に設けた請求項１〜３のいずれかに記載のカード収容ケース。
【請求項５】
牛乳パックその他の角筒状をなす飲料用パックの一側面の縁部を、１辺を残してコ字状に切断し、前記一側面を蓋体、他部をケース本体とした請求項４記載のカード収容ケース。
【請求項６】
仕切片における複数の山折り部と底片とを両側方より挟むように１対の間隔調整片を設け、両間隔調整片に設けた互いに内方を向く突片を、各山折り部内に嵌合することにより、各山折り部の相互の間隔を保持するようにした請求項１〜５のいずれかに記載のカード収容ケース。
【請求項７】
各間隔調整片の一部を、仕切片の一部と連続させて、両間隔調整片と仕切片とを、１枚のシートにより形成した請求項６記載のカード収容ケース。
【請求項８】
ケース本体および蓋体の外周面に、化粧用の表装材を貼着した請求項１〜７のいずれかに記載のカード収容ケース。
【発明の詳細な説明】
【技術分野】
【０００１】
本発明は、色彩または模様によって識別された複数枚のカードを、色彩または模様毎に仕分けして収容するカード収容ケースに関する。
【背景技術】
【０００２】
片面または両面に、１文字または２文字を記載した複数のカードを机上に並べ、それらを組み合わせて、統一したテーマに沿う複数の言葉を作り、それが完成したときの高揚感を味わうことを目的としたアッハゲーム(本願の発明者が所有する登録商標)と呼ばれる能力開発ゲームが人気を集めている。
近年、各テーマに使用する複数のカードを、テーマ毎に色分けし、各カードが別のテーマのものと混在しないようにし、収容時にも、多数のカードを色分けして、それぞれ個別のカードケースに収容している。
そのため、多数のカードケースが必要になり、また、その出し入れも繁雑である。
【０００３】
従来のカード収容ケースには、内部のカードを取り出し易くするための切欠部を設けたものや(例えば特許文献１参照)、ケース本体の上面に複数の切込溝を設け、複数のカードを種類毎に区分して収容しうるようにしたもの(例えば特許文献２参照)等がある。
【先行技術文献】
【特許文献】
【０００４】
【特許文献１】特開平６−２６３１７５号公報
【特許文献２】特開平７−３０９３８９号公報
【発明の概要】
【発明が解決しようとする課題】
【０００５】
特許文献１に記載されているカード収容ケースは、アッハゲームのカード収容用として上述した従来のカードケースと同様であり、色分けした複数種類のカードの束を、それぞれ個別のカードケースに収容しなければならず、多数のカードケースが必要になり、また、その出し入れも繁雑である等の問題がある。
【０００６】
特許文献２に記載されているカード収容ケースは、ケース本体に複数の切込溝を設けるのに手間がかかり、カード収容ケースの製造コストが高くつく。
【０００７】
本発明は、従来の技術が有する上記のような問題点に鑑み、色彩または模様によって識別された複数種類のカードを、色彩または模様毎に集めて効率よく収容することができるとともに、構造が簡単で安価に製造できるようにしたカード収容ケースを提供することを目的としている。
【課題を解決するための手段】
【０００８】
本発明によると、上記課題は次のようにして解決される。
(１)  色彩または模様によって識別された複数枚のカードを、色彩または模様毎に仕分けして収容するカード収容ケースにおいて、上面が開口する方形のケース本体と、前記ケース本体内の底面に載置され、互いに平行をなす複数の山折り部の相互間に、底片を形成する２列の谷折り部が設けられ、前記山折り部の少なくとも一方の側面に、そこに収容すべきカードの色彩または模様と同一または関連する色彩または模様を付した帯状の仕切片とを備えるものとする。
【０００９】
このような構成によると、ケース本体内の底面に、仕切片を折り曲げて載置するだけで、色彩または模様によって識別された複数種類のカードを、色彩または模様毎に集めて、効率よく収容することができるとともに、構造を簡素化でき、安価に製造することができる。
【００１０】
(２)  上記(１)項において、主要部を同一形状とした複数の仕切片を、ケース本体内に長手方向に並べて収容し、互いに対向する仕切片の対向端部の少なくともいずれか一方に設けた接合片を、他方の端部または接合片に結合する。
【００１１】
このような構成によると、複数の仕切片を、ケース本体内に長手方向に順次並べて、長い収容空間を形成し、色彩または模様によって識別された多数種類のカードを、色彩または模様毎に集めて効率よく収容することができる。
【００１２】
(３)  上記(１)または(２)項において、いずれかの山折り部の頂部に、互いに平行の２本の山折り案内線を設けることにより平坦部を形成し、この平坦部を表示面とする。
【００１３】
このような構成によると、平坦部を設けた山折り部を、平坦部を設けない山折り部から目立たせることができ、しかも、その平坦部に注意を喚起する表示を付すことにより、そこに収容するべきものを、他のものから区別することができる。
【００１４】
(４)  上記(１)〜(３)項のいずれかにおいて、ケース本体に、その内部にカードを収容した状態で前記ケース本体の上端開口部を閉塞しうる蓋体を、開閉自在に設ける。
【００１５】
このような構成によると、カードを収容した状態でのカード収容ケース全体の体裁をよくすることができるとともに、ケース本体内への塵芥の進入を防止することができる。
【００１６】
(５)  上記(４)項において、牛乳パックその他の角筒状をなす飲料用パックの一側面の縁部を、１辺を残してコ字状に切断し、前記一側面を蓋体、他部をケース本体とする。
【００１７】
このような構成によると、使用済みの飲料用パックの有効利用を図ることができるとともに、カード収容ケースを安価に作成することができる。
【００１８】
(６)  上記(１)〜(５)項のいずれかにおいて、仕切片における複数の山折り部と底片とを両側方より挟むように１対の間隔調整片を設け、両間隔調整片に設けた互いに内方を向く突片を、各山折り部内に嵌合することにより、各山折り部の相互の間隔を保持するようにする。
【００１９】
このような構成によると、仕切片の各山折り部や底片が、ケース本体内において長手方向に位置ずれするのが防止され、各山折り部の相互の間隔を常時一定に保持することができる。
【００２０】
(７)  上記(６)項において、各間隔調整片の一部を、仕切片の一部と連続させて、両間隔調整片と仕切片とを、１枚のシートにより形成する。
【００２１】
このような構成によると、部品点数を軽減できるとともに、カード収容ケースを容易に作成することができる。
【００２２】
(８)  上記(１)〜(７)項のいずれかにおいて、ケース本体および蓋体の外周面に、化粧用の表装材を貼着する。
【００２３】
このような構成によると、ケース本体等として、使用済みの飲料用パック等を用いた場合でも、美麗な外観を呈することができる。
【発明の効果】
【００２４】
本発明によると、色彩または模様によって識別された複数種類のカードを、色彩または模様毎に集めて効率よく収容することができるとともに、構造が簡単で安価に製造できるようにしたカード収容ケースを提供することができる。
【図面の簡単な説明】
【００２５】
【図１】本発明のカード収容ケースの第１の実施形態と、それに収容するアッハカードとの分解斜視図である。
【図２】同じく、カードを収容した状態の縦断正面図である。
【図３】本発明のカード収容ケースの第２の実施形態における複数の仕切片を長手方向に並べた状態の縦断正面図である。
【図４】本発明のカード収容ケースの第３の実施形態における複数の仕切片を長手方向に並べたときの接合部の状態を示す縦断正面図である。仕切片の端部の斜視図である。
【図５】本発明のカード収容ケースの第４の実施形態における一方の端部の縦断正面図である。
【図６】第４の実施形態における仕切片を形成するためのシートの正面図である。
【図７】本発明のカード収容ケースの第５の実施形態における仕切片の端部の斜視図である。
【図８】図７のVIII−VIII線拡大縦断側面図である。
【図９】第５の実施形態における仕切片と両間隔調整片とを形成するシートの正面図である。
【発明を実施するための形態】
【００２６】
以下、本発明の実施形態を、添付図面を参照して説明する。
図１および図２は、本発明のカード収容ケースの第１の実施形態と、それに収容するアッハカードとを示す。
【００２７】
アッハカードＡは、片面または両面に、１文字または２文字が記載され、かつ統一したテーマに沿う複数の言葉を作ることができるように予め設定した複数のカードＡa、Ａb、Ａc・・・Ａxに、○、×、△等の模様を、各テーマ毎に共通するようにして付したものよりなっている。
実際には、○、×、△等の模様に代えて、またはその模様と併用して、異なる色彩をもって、複数のカードＡa、Ａb、Ａc・・・Ａxを、各テーマ毎に識別するようにしてあるが、この実施形態においては、図示の便宜上、模様のみをもって識別したものとして説明する。
図１には、それらのカードＡa、Ａb、Ａc・・・Ａxを、テーマ毎に仕分けして、それぞれ束ねた状態で示してある。
【００２８】
カード収容ケース１は、牛乳パックその他の角筒状をなす飲料用パックの一側面における縁部を、長辺の１辺を残してコ字状に切断し、その一側面が上になるようにして飲料用パックを横置きすることにより、その一側面を蓋体２、他部を、上面が開口する方形のケース本体３としたものと、そのケース本体３内の底面３ａに載置した仕切片４とを備えている。
【００２９】
ケース本体３は、上面が開口する横長のほぼ方形の箱状をなし、その上面の開口の長辺の縁に、蓋体２が、開閉自在に連設されている。
ケース本体３および蓋体２は、紙または合成樹脂材料からなっているが、材木その他の材料により形成してもよい。
【００３０】
第１の実施形態においては、ケース本体３は、飲料用パックを横置きして利用しているので、その一方の端部壁３ｂは、ケース本体３の長手方向と直交するほぼ垂直壁状をなしているが、他方の端部壁３ｃは、頂点が切妻屋根型に加工されたゲーブルトップとなっている。このような切妻屋根型の端部壁３ｃでも差し支えないが、ケース本体３を、飲料用パックを利用することなく、アッハカードの収容専用として製造する際は、端部壁３ｂと同様の垂直壁状とするのが好ましい。
【００３１】
仕切片４は、互いに平行をなして前後方向を向く複数の山折り案内線５ａの相互間に、底片６を形成する前後方向を向く２列の谷折り案内線(谷折り部)６ａ、６ａが設けられ、山折り案内線５ａを頂部として、その左右の谷折り案内線６ａ、６ａまでに至る山折り部５の少なくとも一方の側面、好ましくは両面に、そこに収容すべきカードの○、×、△等の模様(または色彩)と同一または関連する模様(または色彩)を付した、左右方向に長い帯状のものとしてある。
【００３２】
山折り部５の高さは、ケース本体３の内部の深さの１／２〜２／３程度とするのが好ましく、その一側面にカードＡa、Ａb、Ａc・・・Ａxを立て掛けたときのカードＡa、Ａb、Ａc・・・Ａxの高さは、蓋体２を閉じたとき、その蓋体２の下面に上端が当接するかまたは近接する程度とするのが好ましい。
【００３３】
ケース本体３内の端部壁３ｂ、３ｃに対向する仕切片４の端部には、ケース本体３の底面３ａまたは端部壁３ｂ、３ｃに接続する接続片７が、隣接する山折り部から前後方向を向く１列の谷折り案内線７ａを介して連設されている。
【００３４】
各接続片７は、ケース本体３の底面３ａ上に載置するだけでもよいが、底面３ａまたは対向する端部壁３ｂ、３ｃにのり付け、両面接着テープをもって接着、またはその他の止着手段をもって止着しておくと、仕切片４がケース本体３から脱落するのを防止することができる。
【００３５】
本発明のカード収容ケースの第１の実施形態は、以上のような構成としてあるので、ケース本体３内の底面３ａに、仕切片４を折り曲げて載置するだけで、模様(または色彩)によって識別された複数種類のカードＡa、Ａb、Ａc・・・Ａxを、模様(または色彩)毎に集めて効率よく収容することができるとともに、構造を簡素化でき、安価に製造することができる。
【００３６】
また、ケース本体３の内部にカードＡa、Ａb、Ａc・・・Ａxを収容した状態で、ケース本体３の上端開口部を閉塞しうる蓋体２を開閉自在に設けてあるので、蓋体２を閉じておくことにより、カードＡa、Ａb、Ａc・・・Ａxを収容した状態でのカード収容ケース１全体の体裁をよくすることができるとともに、ケース本体３内への塵芥の進入を防止することができる。
【００３７】
さらに、使用済みの飲料用パックの有効利用を図ることができるとともに、カード収容ケースを安価に作成することができる。
【００３８】
図３は、本発明のカード収容ケースの第２の実施形態における２枚の仕切片４、４を長手方向に並べた状態を示す。図３において、第１の実施形態におけるのと同一または類似の部材には、同一の符号をもって図示するに止め、それらについての詳細な説明は省略する(図４以後においても、同様とする)。
第２の実施形態においては、主要部Ｂを同一形状とした２枚の仕切片４、４を、ケース本体３内に長手方向に並べて収容し、両仕切片４、４の対向端部に、互いに上下方向に重ね合わせることにより底片６を形成する接合片８、８を、隣接する山折り部５から１列の谷折り案内線８ａを介して連設したものとしてある。
各仕切片４の主要部Ｂは、第１の実施形態における仕切片４の最も左側の山折り部５から最も右側の山折り部５までの部分と同様としてある。ただし、各山折り部５の側面に付す模様(または色彩)は、すべて互いに異なるものとするのが好ましい。
【００３９】
この第２の実施形態においては、両仕切片４、４の対向端部に設けた接合片８、８を上下に重ね合わせ、必要に応じて、それらを互いにのり付け、両面接着テープをもって接着、またはその他の止着手段をもって止着して、底片６を形成することにより、２枚の仕切片４、４を、ケース本体３内に長手方向に並べて、長い収容空間を形成し、模様(または色彩)によって識別された多数種類のカードを、模様(または色彩)毎に集めて効率よく収容することができる。
【００４０】
３枚以上の仕切片４を、同様にして、長手方向に並べて使用することにより、左右方向に長いカード収容空間を形成することもできる。
【００４１】
図４は、本発明のカード収容ケースの第３の実施形態における複数の仕切片を長手方向に並べたときの接合部の状態を示す。
第３の実施形態においては、主要部を同一形状とした複数の仕切片４を、ケース本体３内に長手方向に並べて収容し、互いに対向する仕切片４、４の対向端部の少なくともいずれか一方に設けた接合片８を、他方の端部(他方の端部にも接合片を設けた場合は、その接合片)に結合してある。
【００４２】
図４に示す例では、仕切片４、４の対向端部の一方に谷折り案内線８ａ介して設けた接合片８を、他方の端部における山折り部５(他方の端部にも接合片を設けた場合は、その接合片)の裏面に結合してある
【００４３】
このようにしても、図３に示す第２の実施形態と同様の効果を奏することができる。
【００４４】
図５は、本発明のカード収容ケースの第４の実施形態における一方の端部の縦断正面図である。
第４の実施形態においては、仕切片４における左端の山折り部５の頂部に(他の山折り部５の頂部とすることもある)、互いに平行の２本の山折り案内線５ａ、５ａを設けることにより平坦部５ｂを形成し、この平坦部５ｂを表示面として、そこに、例えば「ヒント＆こたえ」等の表示をし、その左方に、ヒントのカードや答えのカードＡｙを収容するようにしてある。
このようにすると、ここに収容するべきものを、目立たせることができる。
この平坦部５ｂは、水平としてあるが、若干右下方に傾斜させてもよい。
【００４５】
図６は、第４の実施形態における仕切片を形成するためのシートの正面図である。
このシート９は、互いに平行をなす２本の切断線１０、１０を境にして、３枚の仕切片４を連設し、左の２枚の仕切片４の上端部には、「のりしろ」とした、図４に示すのと同様の接合片８を形成し、右端の仕切片４の上端部には、図５に示す平坦部５ｂを形成する２本の山折り案内線５ａ、５ａを設けた山折り部５と、ヒントのカードや答えのカードを収容するときの底片６となる接続片７とを形成してある。
それ以外は、山折り部５と底片６とが交互に並ぶように、山折り案内線５ａおよび谷折り案内線６ａを配設してある。
【００４６】
各山折り部５の両側面には、そこに収容すべきカードに対応させて、○、×、△に代えて、(１)〜(10)の符号を付してある。(10)を付した部分には、ヒントのカードや答えのカードを収容することになる。
【００４７】
したがって、このシート９を、切断線１０、１０に沿って切断して、３枚の仕切片４を分離し、次いで左端の仕切片４の上部の接合片８を、中央の仕切片４の下部の裏面に接着するとともに、中央の仕切片４の上部の接合片８を、右端の仕切片４の下部の裏面に接着し、各仕切片４を山折り案内線５ａおよび谷折り案内線６ａに沿って山折りおよび谷折りして、連続した３枚の仕切片４をケース本体３内に収容することにより、カード収容ケース１を簡単に作成することができる。
【００４８】
図７〜図９は、本発明のカード収容ケースの第５の実施形態を示す。
第５の実施形態においては、仕切片４における複数の山折り部５と底片６とを、前後方向より挟むように１対の間隔調整片１１、１１を設け、両間隔調整片１１、１１に設けた互いに内方を向く複数の突片１１ａを、各山折り部５内に嵌合することにより、各山折り部５の相互の間隔を保持するようにしてある。
【００４９】
各突片１１ａの形状は、正常な状態で、山折り部５の内面形状を前後の間隔調整片１１、１１に前後方向に投影したときに、間隔調整片１１の上部に形成される台形としてある。
すなわち、突片１１ａは、間隔調整片１１の上縁を上辺、それから下方に適宜の距離だけ離間して上記上辺と平行をなすようにして間隔調整片１１に付設した山折り案内線１２を底辺、山折り部５の内面を投影した線を左右の斜辺とする台形としてある。
左右の斜辺に相当する部分には、切断線(またはミシン目等の切断案内線)１３、１３が付設されている。
【００５０】
したがって、各間隔調整片１１における突片１１ａを、山折り案内線１２に沿って内側方に折曲して、山折り部５内に嵌合すると、突片１１ａの基部の左右幅と、突片１１ａと等高の部分の山折り部５の内面の左右幅とがほぼ一致するので、山折り部５の左右方向の移動が突片１１ａにより阻止され、各山折り部５の相互の間隔が常時一定に保持される。
【００５１】
各間隔調整片１１の一端部の内側部は、仕切片４における一方の接続片７の前後の端部に、谷折り案内線１４を介して連設されており、両間隔調整片１１、１１と仕切片４とは、図９に示すような１枚のシート１５により形成できるようになっている。
すなわち、図９に示すように、１枚の紙製または樹脂製シート１５に、両間隔調整片１１、１１と仕切片４と余白部分１６とを、展開した状態で、かつそれらの間に切断線(またはミシン目等の切断案内線)１７を設けた状態で印刷しておき、使用時に、切断線１７に沿って、余白部分１６を切除するとともに、両間隔調整片１１、１１を、一部を残して、仕切片４から切り離し、仕切片４を、山折り案内線５ａおよび谷折り案内線６ａに沿って適宜折曲した後、両間隔調整片１１、１１における各突片１１ａを、山折り案内線１２に沿って上向きに折曲した状態で、両間隔調整片１１、１１を、谷折り案内線１４に沿って互いに起立するように折曲し、各突片１１ａが対応する山折り部５の前後の端部より嵌合するようにして、両間隔調整片１１、１１をもって、折曲された仕切片４を前後から挟んだ状態で、それらをケース本体３内に載置することにより、カード収容ケース１を簡単に作成することができる。
【００５２】
このように、各間隔調整片１１の一部を、仕切片４の一部と連続させて、両間隔調整片１１、１１と仕切片４とを、１枚のシートにより形成すると、部品点数を軽減できるとともに、カード収容ケース１を容易に作成することができる。
【００５３】
本発明は、上記実施形態のみに限定されるものではなく、特許請求の範囲を逸脱することなく、例えば、次のような変形した態様での実施が可能である。
(１)  ケース本体３を、飲料用パックを利用したものではなく、他の空き箱または専用の紙箱、木箱、プラスチックケース等とする。
(２)  ケース本体３内に１個または複数の左右方向を向く仕切片(図示略)を受けることにより、ケース本体３内を複数の収容空間に区分し、それぞれの収容空間に仕切片４を設ける。
(３)  図９に示す各間隔調整片１０の突片１１ａにおける山折り案内線１２を切断線に、切断線１３を山折り案内線にそれぞれ変更し、かつ突片１１ａを中央で２分割して、各分割片を、変更した山折り案内線に沿ってそれぞれ折曲し、それらを正規に折曲した仕切片４の山折り部５の内面に当接させるようにする。
(４)  ケース本体３および蓋体２の外周面に、化粧用の表装材を貼着する。
(５)  蓋体２の内面に、チェックリスト、説明書き等を貼着する。
【符号の説明】
【００５４】
Ａ  アッハカード
Ａa、Ａb、Ａc・・・Ａx  カード
Ｂ  主要部
１  カード収容ケース
２  蓋体
３  ケース本体
３ａ底面
３ｂ、３ｃ  端部壁
４  仕切片
５  山折り部
５ａ山折り案内線
５ｂ平坦部
６  底片
６ａ谷折り案内線(谷折り部)
７  接続片
７ａ谷折り案内線
８  接合片
８ａ谷折り案内線
９  シート
１０  切断線
１１  間隔調整片
１１ａ突片
１２  山折り案内線
１３  切断線(または切断案内線)
１４  谷折り案内線
１５  シート
１６  余白部分
１７  切断線(または切断案内線)
【図１】
2015058944.tif 000003
【図２】
2015058944.tif 000004
【図３】
2015058944.tif 000005
【図４】
2015058944.tif 000006
【図５】
2015058944.tif 000007
【図６】
2015058944.tif 000008
【図７】
2015058944.tif 000009
【図８】
2015058944.tif 000010
【図９】
2015058944.tif 000011